【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
端末装置がネットワークを介して接続可能なオークション処理装置であって、
オークションへの出品要求情報を前記オークションへの出品者の端末装置から受信する出品要求受信手段と、
前記オークションへの入札者により指定された入札価格を含む入札要求情報を当該入札者の端末装置から受信する入札要求受信手段と、
前記受信された入札要求情報に対応するオークションに出品された商品に対して設定された設定価格であって前記オークションへの入札者に対して明示されない設定価格を取得する設定価格取得手段と、
前記受信された入札要求情報に含まれる入札価格と、前記取得された設定価格との一致度の有無を判定する一致度判定手段と、
前記一致度判定手段により一致度有と判定された場合には、前記受信された入札要求情報に対応するオークションへの出品者を識別する出品者識別情報に対応付けられて記憶手段に記憶されている前記出品者の不正嫌疑数を所定数増加させる演算手段と、
を備えることを特徴とするオークション処理装置。
【請求項２】
請求項１に記載のオークション処理装置において、
前記受信された入札要求情報に対応するオークションへの出品者を識別する出品者識別情報に対応付けられて記憶されている前記不正嫌疑数が閾値を超えているか否かを判定する閾値判定手段と、
前記閾値判定手段により閾値を超えていると判定された場合には、前記受信された入札要求情報に係る入札要求を制限する制限処理を実行する制限処理実行手段と、
を備えることを特徴とするオークション処理装置。
【請求項３】
請求項１又は２に記載のオークション処理装置において、
前記受信された入札要求情報に対応するオークションへの出品者を識別する出品者識別情報に対応付けられて記憶されている前記不正嫌疑数が閾値を超えているか否かを判定する閾値判定手段と、
前記閾値判定手段により閾値を超えていると判定された場合には、前記受信された入札要求情報に対応するオークションへの出品者の次回以降のオークションへの参加を制限する制限処理を実行する制限処理実行手段と、
を備えることを特徴とするオークション処理装置。
【請求項４】
請求項１乃至３の何れか一項に記載のオークション処理装置において、
前記記憶手段に記憶されている出品者識別情報毎に、基準時から所定期間が経過したか否かを判定する期間判定手段を備え、
前記演算手段は、前記期間判定手段により所定期間が経過したと判定された場合に、前記記憶手段に記憶されている前記不正嫌疑数を所定数減少させることを特徴とするオークション処理装置。
【請求項５】
請求項１乃至３の何れか一項に記載のオークション処理装置において、
前記記憶手段に記憶されている出品者識別情報に対応する出品者による出品回数が所定回数以上となったか否かを判定する回数判定手段を備え、
前記演算手段は、前記回数判定手段により所定回数以上となったと判定された場合に、前記出品者識別情報に対応付けられた前記不正嫌疑数を所定数減少させることを特徴とするオークション処理装置。
【請求項６】
請求項１乃至５の何れか一項に記載のオークション処理装置において、
前記演算手段は、前記一致度判定手段により一致度有と判定された場合に、前記入札要求情報の送信元の前記端末装置の固有情報が、予め記憶されたリストに含まれる場合にのみ、前記不正嫌疑数を増加させることを特徴とするオークション処理装置。
【請求項７】
請求項１乃至６の何れか一項に記載のオークション処理装置において、
前記出品された商品に対して設定された設定価格は、当該商品を出品した出品者により設定された最低落札価格であることを特徴とするオークション処理装置。
【請求項８】
請求項１乃至６の何れか一項に記載のオークション処理装置において、
前記出品された商品に対して設定された設定価格は、当該出品された商品と同一又は類似の商品の過去の落札価格、又は当該出品された商品と同一又は類似の商品の販売価格であることを特徴とするオークション処理装置。
【請求項９】
端末装置がネットワークを介して接続可能なオークション処理装置におけるオークション処理方法であって、
前記オークション処理装置が、オークションへの出品要求情報を前記オークションへの出品者の端末装置から受信するステップと、
前記オークション処理装置が、前記オークションへの入札者により指定された入札価格を含む入札要求情報を当該入札者の端末装置から受信するステップと、
前記オークション処理装置が、前記受信された入札要求情報に対応するオークションに出品された商品に対して設定された設定価格であって前記オークションへの入札者に対して明示されない設定価格を取得するステップと、
前記オークション処理装置が、前記受信された入札要求情報に含まれる入札価格と、前記取得された設定価格との一致度の有無を判定するステップと、
前記オークション処理装置が、前記一致度が有と判定した場合には、前記受信された入札要求情報に対応するオークションへの出品者を識別する出品者識別情報に対応付けられて記憶手段に記憶されている前記出品者の不正嫌疑数を所定数増加させるステップと、
を含むことを特徴とするオークション処理方法。
【請求項１０】
端末装置がネットワークを介して接続可能なコンピュータを、
オークションへの出品要求情報を前記オークションへの出品者の端末装置から受信する出品要求受信手段、
前記オークションへの入札者により指定された入札価格を含む入札要求情報を当該入札者の端末装置から受信する入札要求受信手段、
前記受信された入札要求情報に対応するオークションに出品された商品に対して設定された設定価格であって前記オークションへの入札者に対して明示されない設定価格を取得する設定価格取得手段、
前記受信された入札要求情報に含まれる入札価格と、前記取得された設定価格との一致度の有無を判定する一致度判定手段、及び、
前記一致度判定手段により一致度有と判定された場合には、前記受信された入札要求情報に対応するオークションへの出品者を識別する出品者識別情報に対応付けられて記憶手段に記憶されている前記出品者の不正嫌疑数を所定数増加させる演算手段として機能させることを特徴とするオークション処理プログラム。
【手続補正２】
【補正対象書類名】明細書
【補正対象項目名】０００７
【補正方法】変更
【補正の内容】
【０００７】
上記課題を解決するために、請求項１に記載の発明は、端末装置がネットワークを介して接続可能なオークション処理装置であって、オークションへの出品要求情報を前記オークションへの出品者の端末装置から受信する出品要求受信手段と、前記オークションへの入札者により指定された入札価格を含む入札要求情報を当該入札者の端末装置から受信する入札要求受信手段と、前記受信された入札要求情報に対応するオークションに出品された商品に対して設定された設定価格であって前記オークションへの入札者に対して明示されない設定価格を取得する設定価格取得手段と、前記受信された入札要求情報に含まれる入札価格と、前記取得された設定価格との一致度の有無を判定する一致度判定手段と、前記一致度判定手段により一致度有と判定された場合には、前記受信された入札要求情報に対応するオークションへの出品者を識別する出品者識別情報に対応付けられて記憶手段に記憶されている前記出品者の不正嫌疑数を所定数増加させる演算手段と、を備えることを特徴とする。
【手続補正３】
【補正対象書類名】明細書
【補正対象項目名】００１３
【補正方法】変更
【補正の内容】
【００１３】
請求項４に記載の発明は、請求項１乃至３の何れか一項に記載のオークション処理装置において、前記記憶手段に記憶されている出品者識別情報毎に、基準時から所定期間が経過したか否かを判定する期間判定手段を備え、前記演算手段は、前記期間判定手段により所定期間が経過したと判定された場合に、前記記憶手段に記憶されている前記不正嫌疑数を所定数減少させることを特徴とする。
【手続補正４】
【補正対象書類名】明細書
【補正対象項目名】００１５
【補正方法】変更
【補正の内容】
【００１５】
請求項５に記載の発明は、請求項１乃至３の何れか一項に記載のオークション処理装置において、前記記憶手段に記憶されている出品者識別情報に対応する出品者による出品回数が所定回数以上となったか否かを判定する回数判定手段を備え、前記演算手段は、前記回数判定手段により所定回数以上となったと判定された場合に、前記出品者識別情報に対応付けられた前記不正嫌疑数を所定数減少させることを特徴とする。
【手続補正５】
【補正対象書類名】明細書
【補正対象項目名】００２３
【補正方法】変更
【補正の内容】
【００２３】
請求項９に記載の発明は、端末装置がネットワークを介して接続可能なオークション処理装置におけるオークション処理方法であって、前記オークション処理装置が、オークションへの出品要求情報を前記オークションへの出品者の端末装置から受信するステップと、前記オークション処理装置が、前記オークションへの入札者により指定された入札価格を含む入札要求情報を当該入札者の端末装置から受信するステップと、前記オークション処理装置が、前記受信された入札要求情報に対応するオークションに出品された商品に対して設定された設定価格であって前記オークションへの入札者に対して明示されない設定価格を取得するステップと、前記オークション処理装置が、前記受信された入札要求情報に含まれる入札価格と、前記取得された設定価格との一致度の有無を判定するステップと、前記オークション処理装置が、前記一致度が有と判定した場合には、前記受信された入札要求情報に対応するオークションへの出品者を識別する出品者識別情報に対応付けられて記憶手段に記憶されている前記出品者の不正嫌疑数を所定数増加させるステップと、を含むことを特徴とする。
【手続補正６】
【補正対象書類名】明細書
【補正対象項目名】００２４
【補正方法】変更
【補正の内容】
【００２４】
請求項１０に記載のオークション処理プログラムの発明は、端末装置がネットワークを介して接続可能なコンピュータを、オークションへの出品要求情報を前記オークションへの出品者の端末装置から受信する出品要求受信手段、前記オークションへの入札者により指定された入札価格を含む入札要求情報を当該入札者の端末装置から受信する入札要求受信手段、前記受信された入札要求情報に対応するオークションに出品された商品に対して設定された設定価格であって前記オークションへの入札者に対して明示されない設定価格を取得する設定価格取得手段、前記受信された入札要求情報に含まれる入札価格と、前記取得された設定価格との一致度の有無を判定する一致度判定手段、及び、前記一致度判定手段により一致度有と判定された場合には、前記受信された入札要求情報に対応するオークションへの出品者を識別する出品者識別情報に対応付けられて記憶手段に記憶されている前記出品者の不正嫌疑数を所定数増加させる演算手段として機能させることを特徴とする。